(57)【要約】【課題】簡単な構造で部品の取り外しが不要で目盛表示の切替えが容易なレンズ装置を提供すること。【解決手段】操作環を回転操作して、レンズ群の位置を光軸方向へ移動するレンズ装置において、前記操作環は略光軸方向の位置が可変なスライド部材を少なくとも１つ有し、前記スライド部材の略光軸中心回転を規制する回転規制手段と、前記スライド部材の略光軸方向位置を規制する光軸位置規制手段を有することを特徴とする。【選択図】図１
2017203911.tif 000002
【特許請求の範囲】
【請求項１】
操作環を回転操作してレンズ群の位置を光軸方向へ移動するレンズ装置において、 
光軸方向の位置が可変なスライド部材を少なくとも１つ有し、 
前記操作環は前記スライド部材の光軸中心回転を規制する回転規制手段と、
前記スライド部材の光軸方向位置を規制する光軸位置規制手段を有することを特徴とするレンズ装置。
【請求項２】
前記操作環は前記スライド部材を支持する操作環本体と、前記スライド部材を前記レンズ装置の外周部から覆う操作環カバー部を有することを特徴とする請求項１に記載のレンズ装置。
【請求項３】
前記操作環は外周面に目盛表示を有し、前記スライド部材は外周面に前記操作環とは異なる目盛表示を有することを特徴とする請求項１又は請求項２に記載のレンズ装置。 
【請求項４】
前記操作環と前記スライド部材のうち、少なくとも１つの外周面は目盛のない無地面であることを特徴とする請求項１又は請求項２に記載のレンズ装置。 
【請求項５】
前記操作環は外周面に複数の異なる目盛表示を有し、前記スライド部材は、指標線を有することを特徴とする請求項１に記載のレンズ装置。 
【請求項６】
前記回転規制手段は一対の回転規制溝と回転規制突起を有し、前記回転規制溝と前記回転規制突起のそれぞれの突当面がテーパ形状であることを特徴とする請求項１乃至請求項５の何れか一項に記載のレンズ装置。
【発明の詳細な説明】
【技術分野】
【０００１】
本発明は、レンズ装置に関し、特に操作環を操作してレンズ群の位置を光軸方向へ移動するレンズ装置に関する。
【背景技術】
【０００２】
従来、レンズ装置のフォーカスリングに備えられた目盛表示は、メートル表示のものとフィート表示のものがあり、カメラマンによって使用するレンズを使い分けている。また、映画撮影においては、フォーカスリングにテープ等を貼りつけて撮影シーンに応じた指標を新たに形成している。
【０００３】
レンズ装置の目盛表示を交換するために、特許文献１では、フォーカスリング本体の表面に、第１の表示用目盛リングが着脱自在に取り付けられ、第１の表示用目盛リングとは異なる表示形態の第２の表示用目盛リングと交換可能となっている。
【０００４】
特許文献２では、表面に目盛のない無地リングを用意し、表面に目盛のある目盛リングと交換可能になっている。
【０００５】
特許文献３では、フォーカスリングの外周部に、フォーカスリングとともに回動する表示手段（液晶）を設け、表示制御手段によって表示手段に表示させる目盛の単位を切り替える切替手段を備えている。
【先行技術文献】
【特許文献】
【０００６】
【特許文献１】特開２００３−５００８号公報
【特許文献２】特開２００３−６６３０４号公報
【特許文献３】特開２００７−２９８６７２号公報
【発明の概要】
【発明が解決しようとする課題】
【０００７】
しかしながら、上述の特許文献１、２に開示された従来技術では、それぞれの目盛りの表示形態に応じて、目盛表示のみが異なる目盛リングあるいは無地リングを作製する必要がある。また、交換が想定される場面では常に一方の部品を所持しなければならない。
【０００８】
上述の特許文献３に開示された従来技術では、外周部の表示手段に通電させる必要があり、レンズ装置の構造が複雑化し、高価になってしまう。
【０００９】
そこで、本発明の目的は、簡単な構造で部品を取り外すことなく目盛表示の切替えが容易なレンズ装置を提供することにある。
【課題を解決するための手段】
【００１０】
上記の目的を達成するために、本発明に係るレンズ装置は、
操作環を回転操作してレンズ群の位置を光軸方向へ移動するレンズ装置において、前記操作環は略光軸方向の位置が可変なスライド部材を少なくとも１つ有し、 前記スライド部材の略光軸中心回転を規制する回転規制手段と、前記スライド部材の略光軸方向位置を規制する光軸位置規制手段を有することを特徴とする。
【発明の効果】
【００１１】
本発明によれば、簡単な構造で、部品を取り外すことなく目盛表示の切替えが容易なレンズ装置を提供することができる。その結果、フォーカスリングの目盛リングや無地リングを交換することなくフォーカスリングの目盛表示形態を変更することができる。
【図面の簡単な説明】
【００１２】
【図１】第１の実施例のレンズ装置の断面図
【図２】第１の実施例の回転規制手段を示す展開図
【図３】第１の実施例の光軸位置規制手段を示す断面図
【図４】第２の実施例のレンズ装置の断面図
【図５】第２の実施例のレンズ装置の展開図
【図６】第３の実施例のレンズ装置の断面図
【図７】第３の実施例のレンズ装置の展開図
【図８】第４の実施例のレンズ装置の断面図
【図９】第４の実施例のレンズ装置の展開図
【発明を実施するための形態】
【００１３】
以下に、本発明の好ましい実施の形態を、添付の図面に基づいて詳細に説明する。
【００１４】
［第１の実施例］
図１は本発明の第１の実施例のレンズ装置Ｌ１のフォーカスリング周辺部の断面図である。
【００１５】
レンズ装置Ｌ１は固定筒１の外周部にフォーカスリング２１が回動自在に支持されている。フォーカスリング２１の外周部にはスライドリング３１が光軸方向位置を可変に支持されている。フォーカスリング２１の外周面にはフィート目盛２１ａが形成されており、スライドリング３１の外周面にはメートル目盛３１ａが形成されている。
【００１６】
フォーカスリング２１を回動し、指標環４に設けられた指標線４ａに所望の目盛（２１ａあるいは３１ａ）を合せてフォーカス移動群Ｆを光軸方向に移動することで、レンズの合焦位置が所望の物体距離に設定される。なお、指標環４は固定筒１に回動不能に固定されている。
【００１７】
フォーカスリング２１には、操作環本体２１ｂと操作環カバー部２１ｃが構成されており、操作環本体２１ｂと操作環カバー部２１ｃはネジ５により一体となっている。操作環本体２１ｂの外周部にはプランジャ６が構成されている。スライドリング３１の内径部には、前側規制溝３１ｂと後側規制溝３１ｃが形成されている。スライドリング３１を光軸方向に移動させる際には、スライドリング３１の外周面に設けられたスライド突起３１ｄを用いる。
【００１８】
図１（ａ）のように、スライドリング３１が操作環本体２１ｂと操作環カバー部２１ｃの径方向のすき間に収納された状態では、プランジャ６が後側規制溝３１ｃに係合してスライドリング３１の光軸方向位置を規制する。このとき、レンズ装置Ｌ１の外周面には操作環本体２１ｂに形成されたフィート目盛２１ａが表示される。
【００１９】
一方、図１（ｂ）のように、スライドリング３１が指標環４側へ引き出されている状態では、プランジャ６が前側規制溝３１ｂに係合してスライドリング３１の光軸方向位置を規制する。このとき、レンズ装置Ｌ１の外周面にはスライドリング３１に形成されたメートル目盛３１ａが表示される。すなわち、スライドリング３１の位置によって、レンズ装置Ｌ１の外周面に表示される目盛表示を切り替えることができる。
【００２０】
図２に示すように、操作環本体２１ｂの外周面には径方向に突出した回転規制突起２１ｄが形成されている。スライドリング３１の内径部には光軸方向に伸びた回転規制溝３１ｅが形成されている。操作環本体２１ｂの回転規制突起２１ｄとスライドリング３１の回転規制溝３１ｅとが係合することで、フォーカスリング２１とスライドリング３１は一体となって回転する。
【００２１】
図３は回転規制突起２１ｄおよび回転規制溝３１ｅを図２の矢印Ａの方向から見た図である。
【００２２】
回転規制突起２１ｄの突当面２１ｅ、２１ｆと回転規制溝３１ｅの突当面３１ｆ、３１ｇはそれぞれテーパ形状を形成している。スライドリング３１を指標環４側へ移動した際にそれぞれのテーパ部が当接することにより、回転規制突起２１ｄと回転規制溝３１ｅのすき間によって生じるがたつきを抑制することができる。
【００２３】
本実施例によれば、簡単な構造で、部品を取り外すことなくフォーカス目盛表示の変更を容易に行うことができる。
【００２４】
［第２の実施例］
図４、図５を用いて、本発明の第２の実施例のレンズ装置について説明する。
【００２５】
図４は第２の実施例のレンズ装置Ｌ２のスライドリング３２を指標環４側へ引き出した状態の断面図である。図５はレンズ装置Ｌ２を外側から見たときの展開図の一部である。
【００２６】
第２の実施例では、フォーカスリング２２の操作環カバー部２２ｃに略光軸方向に延びた窓部２２ｄが形成されている。また、スライドリング３２の外周面には円周方向に伸びた切欠き３２ｂが形成されている。切欠き３２ｂは、スライドリング３２の位置によらず、レンズ装置Ｌ２の外側から視認できる位置に配置されている。レンズ装置Ｌ２のフォーカス目盛表示を変更する際には、切欠き３２ｂに爪や工具などをかけてスライドリング３２を移動する。
【００２７】
図５に示すとおり、スライドリング３２を指標環４側に引き出した場合においても、スライドリング３２のメートル目盛３２ａと指標環４の指標線４ａが隣接するため、メートル表示で使用する際も目盛と指標線を合わせやすい。第２の実施例によれば、常に目盛と指標線を隣接させることができるため、フォーカス目盛表示によって目盛と指標線の合わせやすさが変わることがない。
【００２８】
［第３の実施例］
図６、図７を用いて、本発明の第３の実施例のレンズ装置について説明する。
【００２９】
図６は第３の実施例のレンズ装置Ｌ３のスライドリング３３を指標環４側へ引き出した状態の断面図である。図７はレンズ装置Ｌ３を外側から見たときの展開図の一部である。
【００３０】
第３の実施例では、フォーカスリング２３の外周面にフィート目盛２３ａが形成されており、スライドリング３３の外周面は目盛表示のない無地面３３ａとなっている。スライドリング３３を指標環４側へ移動した際には、フォーカスリング２３のフィート目盛２３ａはスライドリング３３に覆われるため、レンズ装置Ｌ３の外周面には目盛表示がない状態になる。スライドリング３３の無地面３３ａに撮影シーンに応じた目印シール７ａ、７ｂ、・・・を貼り付けることでカメラマンの所望の撮影距離に迅速に合わせることができる。
【００３１】
第３の実施例によれば、フォーカスリングの構成をより簡易化して、フォーカス目盛表示の変更を容易に行うことができる。また、映画撮影において、フィート表示での撮影と目印シール位置での撮影を交互に行う場合、目印シールをはがしたり、再度貼り付けたりする必要がない。
【００３２】
［第４の実施例］
図８、図９を用いて、本発明の第４の実施例のレンズ装置について説明する。
【００３３】
図８は第４の実施例のレンズ装置Ｌ４のフォーカスリング周りの断面図である。図９はレンズ装置Ｌ４を外側から見たときの展開図の一部である。
【００３４】
第４の実施例では、フォーカスリング２４の外周面にフィート目盛２４ａとメートル目盛２４ｂが形成されている。フォーカスリング２４の外周面には径方向に突出した回転規制突起２４ｃが形成されている。スライドリング３４の内径部には光軸方向に伸びた回転規制溝３４ａが形成されている。
【００３５】
図８（ａ）、図９（ａ）のように、スライドリング３４が被写体側に位置する状態では、レンズ装置Ｌ４の外周面にはフィート目盛２４ａが表示される。このとき、フォーカスリング２４の回転規制突起２４ｃとスライドリング３４の回転規制溝３４ａとが係合することで、フォーカスリング２４とスライドリング３４は一体となって回転する。
【００３６】
一方、図８（ｂ）、図９（ｂ）のように、スライドリング３４が指標環４４側に位置する状態では、レンズ装置Ｌ４の外周面にはメートル目盛２４ｂが表示される。このとき、フォーカスリング２４の回転規制突起２４ｃとスライドリング３４の回転規制溝３４ａの係合が解除される。また、スライドリング３４の連結突起３４ｂと指標環４４の連結溝４４ｂとが係合し、スライドリング３４と指標環４４が一体となりスライドリング３４は回転不能となる。スライドリング３４の外周面には第２の指標線３４ｅが形成されており、メートル目盛２４ｂを第２の指標線３４ｅに合わせることで合焦位置を調整する。
【００３７】
スライドリング３４の連結突起３４ｂの突当面３４ｃ、３４ｄと指標環４４の連結溝４４ｂの突当面４４ｃ、４４ｄはそれぞれテーパ形状を形成している。スライドリング３４を指標環４４側へ移動した際にそれぞれのテーパ部が当接することにより、スライドリング３４の周方向のがたつきを抑制することができる。第４の実施例によれば、目盛表示を１つの部品に集約することができるため、目盛表示を印刷で形成する場合にコストを下げることができる。
【００３８】
以上、本発明の好ましい実施形態について説明したが、本発明はこれらの実施形態に限定されず、その要旨の範囲内で種々の変形及び変更が可能である。例えば、フォーカスリングおよびスライドリングの外周面に形成する目盛表示形態、無地面の配置および組合せを変更しても同様の効果が得られる。また、スライドリングを複数に分割して多段階に引き出せるようにすれば、複数の目盛表示を同時にレンズ外周面に表示することも可能である。
【００３９】
また、本実施例ではスライドリングの光軸方向規制手段としてプランジャを用いた係合方式を用いているが、板ばねと溝など、別の係合方式を使用した場合でも本発明は適用可能である。
【００４０】
上記各実施例によれば、簡単な構造で、部品を取り外すことなく目盛表示の切替えが容易なレンズ装置を提供することができる。
【符号の説明】
【００４１】
Ｌ１，Ｌ２，Ｌ３，Ｌ４  レンズ装置、Ｆ  フォーカス移動群、
２１，２２，２３，２４  操作環、３１，３２，３３，３４  スライド部材、
２１ｄ  回転規制突起、３１ｅ  回転規制溝、３１ｂ，３１ｃ  光軸位置規制溝、
６  プランジャ
【図１】
2017203911.tif 000003
【図２】
2017203911.tif 000004
【図３】
2017203911.tif 000005
【図４】
2017203911.tif 000006
【図５】
2017203911.tif 000007
【図６】
2017203911.tif 000008
【図７】
2017203911.tif 000009
【図８】
2017203911.tif 000010
【図９】
2017203911.tif 000011